(57)【要約】【課題】放射性物質により汚染された構造物の効果的な洗浄を行い、洗浄後の汚染の再拡散を防止する装置の提供する。【解決手段】洗浄水を除染対象物に放水するための放水ノズル１１Ａを備えた放水部１１と、除染対象物に放水した洗浄水を回収するための回収ノズル１２Ａを備えた回収部１２と、回収した洗浄水中に含まれる放射性物質を凝集、沈殿させる凝集沈殿部１３と、放射性物質の凝集沈殿物を固液分離する固液分離部１４と、固液分離した洗浄廃水中に含まれる溶存放射性物質を吸着剤に吸着させる吸着部１５と、を有することを特徴とする。【選択図】図１
0003187159.tif 000002
【実用新案登録請求の範囲】
【請求項１】
フルボ酸、無機酸のカリウム塩もしくはアンモニウム塩及び界面活性剤を含むか、又はこれらの化合物を含まない洗浄水を除染対象物に散布もしくは放水し、洗浄する放水手段と、
前記除染対象物に散布もしくは放水して洗浄した後の洗浄廃水を回収する回収手段と、
前記洗浄廃水中に含まれる放射性物質を凝集沈殿させ、凝集沈殿物を生成させる凝集沈殿手段と、
前記凝集沈殿物を固液分離する固液分離手段と、
分離した前記凝集沈殿物を保管容器に格納する格納手段と、
を有することを特徴とする放射性物質による汚染構造物の除染装置。
【請求項２】
前記固液分離手段の後に、前記凝集沈殿物を分離した洗浄廃水中の溶存放射性物質を吸着材に吸着させる吸着手段を更に含むことを特徴とする請求項１に記載の放射性物質による汚染構造物の除染装置。
【請求項３】
前記吸着手段の後に、前記溶存放射性物質を吸着材に吸着させた洗浄廃水を一般排水として放流する放流手段を更に含むことを特徴とする請求項２に記載の放射性物質による汚染構造物の除染装置。
【請求項４】
前記無機酸のカリウム塩もしくはアンモニウム塩は、塩化アンモニウム、過塩素酸アンモニウム、硫酸アンモニウム、硝酸アンモニウム、炭酸アンモニウム、炭酸カリウム、水酸化カリウム、過マンガン酸カリウム、硝酸カリウム、硫酸カリウム、塩素酸カリウム、塩化カリウム、臭化カリウム、ヨウ化カリウムからなる群より選択された少なくとも一種であることを特徴とする請求項１乃至３の何れか１項に記載の放射性物質による汚染構造物の除染装置。
【請求項５】
前記界面活性剤は、純石けん分（脂肪酸ナトリウム）、純石けん分（脂肪酸カリウム）、アルファスルホ脂肪酸エステルナトリウム、直鎖アルキルベンゼンスルホン酸ナトリウム、アルキル硫酸ナトリウム、アルキルエーテル硫酸ナトリウム、アルファオレフィンスルホン酸ナトリウム、アルキルスルホン酸ナトリウム、しょ糖脂肪酸エステル、ソルビタン脂肪酸エステル、ポリオキシエチレンソルビタン脂肪酸エステル、脂肪酸アルカノールアミド、ポリオキシエチレンアルキルエーテル、ポリオキシエチレンアルキルフェニルエーテル、アルキルアミノ脂肪酸ナトリウム、アルキルベタイン、アルキルアミンオキシド、アルキルトリメチルアンモニウム塩、ジアルキルジメチルアンモニウム塩、レシチン、サポニン、カゼインからなる群より選択された少なくとも一種であることを特徴とする請求項１乃至４の何れか１項に記載の放射性物質による汚染構造物の除染装置。
【請求項６】
前記保管容器は、容器壁が多重構造となっていることを特徴とする請求項１に記載の放射性物質による汚染構造物の除染装置。
【請求項７】
前記保管容器は、内槽と外槽の二槽構造からなり、外槽が鉛製であることを特徴とする請求項６に記載の放射性物質による汚染構造物の除染装置。
【請求項８】
前記除染対象物が、舗装道路、建築物、家屋、排水溝、アスファルト、コンクリート敷きの敷地であることを特徴とする請求項１乃至７の何れか１項に記載の放射性物質による汚染構造物の除染装置。
【考案の詳細な説明】
【技術分野】
【０００１】
本考案は、放射性物質による汚染構造物の除染装置に係り、より詳しくは、放射性物質に汚染されたアスファルト若しくはコンクリートの舗装道路、敷地又は建造物の除染装置に関する。
【背景技術】
【０００２】
放射性物質に汚染された、アスファルト若しくはコンクリートの舗装道路、敷地又は建造物等の除染に関しては、従来高圧放水等で洗浄することが行われている。放射性汚染物質は、時間経過とともに被汚染物の内部に浸透し、単なる水による洗浄では十分な除染を行うのに多量の水と繰り返しの洗浄を必要とするようになっている。また、放射性物質を含んだ汚染洗浄廃水は何らの処理も回収もなされないため、放射性物質の再拡散や排水路の分布状況によっては特定地域への集中汚染といった問題を生じさせている。
【０００３】
上記問題を改善する除染方法の一つの試みとして、放射性物質で汚染されている箇所の表面に、ドライアイス粒子を圧力空気で搬送ブラストし、該表面を剥離し、被剥離物質とドライアイス粒子との混合空気を吸引して集塵回収する、放射性物質汚染物の除染方法が提案されている（特許文献１参照）。
【０００４】
しかしながら、上記のような方法は、放射性物質の存在する箇所が明確になっている放射性物質汚染物のターゲット除染には有効であるが、舗装道路等の広大な汚染箇所の不特定な放射性物質汚染物の除染としては非効率的でロスが大きいものであった。
【先行技術文献】
【特許文献】
【０００５】
【特許文献１】特開２００２−１９６０９７公報
【考案の概要】
【考案が解決しようとする課題】
【０００６】
本考案は、上記従来技術の問題点に鑑みてなされたものであって、本考案の目的は、放射性物質により汚染された構造物の効果的な洗浄を行い、洗浄後の汚染の再拡散を防止する装置を提供することにある。
【課題を解決するための手段】
【０００７】
上記目的を達成するためになされた本考案の一態様による除染装置は、フルボ酸、無機酸のカリウム塩もしくはアンモニウム塩及び界面活性剤を含むか、又はこれらの化合物を含まない洗浄水を除染対象物に散布もしくは放水し、洗浄する放水手段と、除染対象物に散布もしくは放水して洗浄した後の洗浄廃水を回収する回収手段と、洗浄廃水中に含まれる放射性物質を凝集沈殿させ、凝集沈殿物を生成させる凝集沈殿手段と、凝集沈殿物を固液分離する固液分離手段と、分離した凝集沈殿物を保管容器に格納する格納手段と、を有することを特徴とする。
【０００８】
前記固液分離手段の後に、凝集沈殿物を分離した洗浄廃水中の溶存放射性物質を吸着材に吸着させる吸着手段を更に含むことが好ましい。
【０００９】
吸着手段の後に、溶存放射性物質を吸着材に吸着させた洗浄廃水を一般排水として放流する放流手段を更に含むことが好ましい。
【００１０】
前記無機酸のカリウム塩もしくはアンモニウム塩は、塩化アンモニウム、過塩素酸アンモニウム、硫酸アンモニウム、硝酸アンモニウム、炭酸アンモニウム、炭酸カリウム、水酸化カリウム、過マンガン酸カリウム、硝酸カリウム、硫酸カリウム、塩素酸カリウム、塩化カリウム、臭化カリウム、ヨウ化カリウムからなる群より選択された少なくとも一種であることが好ましい。
【００１１】
前記界面活性剤は、純石けん分（脂肪酸ナトリウム）、純石けん分（脂肪酸カリウム）、アルファスルホ脂肪酸ナトリウム、直鎖アルキルベンゼンスルホン酸ナトリウム、アルキル硫酸ナトリウム、アルキルエーテル硫酸ナトリウム、アルファオレフィンスルホン酸ナトリウム、アルキルスルホン酸ナトリウム、蔗糖脂肪酸エステル、ソルビタン脂肪酸エステル、ポリオキシエチレンソルビタン脂肪酸エステル、脂肪酸アルカノールアミド、ポリオキシエチレンアルキルエーテル、ポリオキシエチレンアルキルフェニルエーテル、アルキルアミノ脂肪酸ナトリウム、アルキルベタイン、アルキルアミンオキシド、アルキルトリメチルアンモニウム塩、ジアルキルジメチルアンモニウム塩、レシチン、サポニン、カゼインからなる群より選択された少なくとも一種であることが好ましい。
【００１２】
前記分離した放射性物質の吸着物及び凝集物を保管する保管容器は、容器壁が多重構造となっていることが好ましい。
【００１３】
前記保管容器は、内槽と外槽の二槽構造からなり、外槽が鉛製であることが好ましい。
【００１４】
前記除染対象物が、舗装道路、建築物、家屋、排水溝、アスファルト、コンクリート敷きの敷地であることが好ましい。
【考案の効果】
【００１５】
本考案の除染装置によれば、放射性物質により汚染された構造物の洗浄において、短時間で少ない量の水で放射性物質を洗浄することができ、洗浄と共に洗浄廃水の回収を行うので、放射性物質の拡散や特定地域への汚染の集中を引き起こすことがないという効果が得られる。
【００１６】
本考案の除染装置によれば、汚染洗浄廃水から放射性物質を分離除去するため、処理後には放射性物質を含まない一般廃水として放流が可能である。
【００１７】
本考案の除染装置によれば、放射性物質により汚染された構造物の効果的な除染が可能になると共に、除去した汚染物を回収することにより、放射性物質の再拡散や特定地域への汚染の集中を防止することができる。
【図面の簡単な説明】
【００１８】
【図１】本考案の一実施形態による除染装置の構成を説明するための図である。
【図２】本考案の除染装置を用いた除染手順を説明するための図である。
【図３】本考案の除洗装置を用いた除染の別の手順を示す図である。
【考案を実施するための形態】
【００１９】
以下、添付図面を参照しながら、本考案の放射性物質による汚染構造物の除染装置の具体例を、詳細に説明する。
本考案の放射性物質による汚染構造物の除染装置は、除染対象の構造物に、フルボ酸と、無機酸のカリウム塩もしくはアンモニウム塩と、界面活性剤を含むか、又はこれらの化合物を含まない洗浄水を散布もしくは放水することで、放射性物質による汚染構造物の除染を行うとともに、除染に使用した洗浄廃水を回収し、洗浄廃水中の放射性物質を分離除去することにより、一般排水として放流することが可能なレベルに洗浄廃水をも除染するものである。
【００２０】
本考案の除染方法の除染対象としては、放射性物質により汚染された舗装（アスファルト又はコンクリート）道路、排水溝、家屋、建造物などが好ましく、洗浄水による放水洗浄であるため、水を吸収しない材質の除染対象物であることが放射性物質を回収の点から好ましい。
【００２１】
図１は、本考案の一実施形態による除染装置の構成を説明するための図である。
図１に示した除染装置は、フルボ酸と無機酸のカリウム塩もしくはアンモニウム塩と界面活性剤と、を含むか、又はこれらの化合物を含まない洗浄水を除染対象物に放水するための放水ノズル１１Ａを備えた放水部１１と、除染対象物に放水した洗浄水を回収するための回収ノズル１２Ａを備えた回収部１２と、回収した洗浄水中に含まれる放射性物質を凝集、沈殿させる凝集沈殿部１３と、放射性物質の凝集沈殿物を固液分離する固液分離部１４と、固液分離した洗浄廃水中に含まれる溶存放射性物質を吸着剤に吸着させる吸着部１５と、を有する。
【００２２】
放水部１１は、放水ノズル１１Ａ、高圧洗浄ポンプ、洗浄水タンク、リンス水タンクを有する。放水ノズル１１Ａは、除染対象物の形態に対応できるよう、連結ホースとの接続や洗浄ブラシと組み合わせが可能であることが好ましい。
除染対象物が舗装道路や排水溝などの場合には、汚染物が固着しており、洗浄水の放水圧を高くすることが好ましく、洗浄液を放水、散布しながらブラッシング等をすることで更に効果的な洗浄を行うことができる。
【００２３】
洗浄水中にフルボ酸を含有させた場合、フルボ酸は、放射性金属や重金属等との強い錯体形成能を有しており、洗浄水に含ませることにより、構造物の放射性物質による汚染を効果的に洗浄することができる。
洗浄水に含有させるフルボ酸の量は、通常、水に対して０．０１〜３重量％の範囲で用いられる。
【００２４】
洗浄水中にフルボ酸とともに含有させる無機酸のカリウム塩もしくはアンモニウム塩を含有させた場合は、汚染成分であるセシウムイオンを表面に浮き出させる働きがあり、フルボ酸と組み合わせることにより、構造物の放射性物質による汚染を更に効果的に洗浄することができる。
【００２５】
放射性物質に汚染された材料などの粘土鉱物成分のもつ負電荷に、セシウムイオンはきわめて強く「固定」され、他の陽イオンによって簡単に置き換えることができなくなる。このような性質を持つ粘土鉱物は、２：１型層状ケイ酸塩と呼ばれ、薄いシート状の層が積み重なり、層と層の間に負電荷を持つ。２：１型層状ケイ酸塩の層間の負電荷がある場所は、セシウムイオンを閉じ込めるのにちょうどいい大きさの穴のようになっている。この穴はセシウムイオンの他に、カリウムイオンやアンモニウムイオンを閉じ込めるのにもちょうどいい大きさである。また、一度セシウムイオンがこの場所に固定されるとその場所から引き剥がすことは容易ではないが、フルボ酸やカリウムイオンやアンモニウムイオンの競合イオンが一定濃度で存在する場合、セシウムイオンを追い出すことができる。
【００２６】
このような無機酸のカリウム塩もしくはアンモニウム塩の例としては、塩化アンモニウム、過塩素酸アンモニウム、硫酸アンモニウム、硝酸アンモニウム、炭酸アンモニウムなどのアンモニウム塩、炭酸カリウム、水酸化カリウム、過マンガン酸カリウム、硝酸カリウム、硫酸カリウム、塩素酸カリウム、塩化カリウム、臭化カリウム、ヨウ化カリウムなどのカリウム塩が挙げられる。
洗浄水に含有させる無機酸のカリウム塩もしくはアンモニウム塩の量は、通常、水に対して０．０１〜１重量％の範囲で用いられる。
【００２７】
本実施形態の洗浄水は、フルボ酸、無機酸のカリウム塩もしくはアンモニウム塩の他に界面活性剤を含むことができる。界面活性剤を含有させることにより、フルボ酸及び無機酸のカリウム塩もしくはアンモニウム塩を含む洗浄水が、汚染物の表面に広がりやすく、また汚染物の内部への浸透も容易になるため、構造物の放射性物質による汚染を更に効果的に洗浄することができる。
【００２８】
洗浄水に含ませることができる界面活性剤の例としては、純石けん分（脂肪酸ナトリウム）、純石けん分（脂肪酸カリウム）、アルファスルホ脂肪酸ナトリウム、直鎖アルキルベンゼンスルホン酸ナトリウム、アルキル硫酸ナトリウム、アルキルエーテル硫酸ナトリウム、アルファオレフィンスルホン酸ナトリウム、アルキルスルホン酸ナトリウム、しょ糖脂肪酸エステル、ソルビタン脂肪酸エステル、ポリオキシエチレンソルビタン脂肪酸エステル、脂肪酸アルカノールアミド、ポリオキシエチレンアルキルエーテル、ポリオキシエチレンアルキルフェニルエーテル、アルキルアミノ脂肪酸ナトリウム、アルキルベタイン、アルキルアミンオキシド、アルキルトリメチルアンモニウム塩、ジアルキルジメチルアンモニウム塩、などが挙げられ、天然界面活性剤としてレシチン、サポニン、カゼインなどが挙げられる。
洗浄水に含有させる界面活性剤の量は、通常、水に対して０．０１〜０．５重量％の範囲で用いられる。
【００２９】
本考案において、放水部１１が放水する洗浄水としては、フルボ酸と無機酸のカリウム塩もしくはアンモニウム塩と界面活性剤とを含まない洗浄水を用いることができる。これらの化合物を含まない洗浄水としては、海水、河川水、井戸水、水道水、地下水その他の自然水等を用いることができる。あるいは、後述するように本考案の除染装置によって放射性物質を低減させた後の排水を用いることができる。
【００３０】
このようにフルボ酸、無機酸のカリウム塩やアンモニウム塩、界面活性剤等の化合物を含まない洗浄水を放射性物汚染構造物に放水する場合には、化合物含有洗浄水に比べて放射性物の除去力が小さいが、放水圧力を大きくしたり、放水量を多くしたり、洗浄ブラシを組み合わせることにより、除去力の低下を補って良好な洗浄を行うことができる。
【００３１】
回収部１２は、回収ノズル１２Ａ、回収物のレシーバタンク、負圧形成用ブロアを有し、回収ノズル１２Ａは、除染対象物の形態に対応できるよう、連結ホースとの接続や洗浄ブラシと組み合わせが可能であることが好ましい。
【００３２】
回収部１２は、散布・放水する箇所にガイド板等の飛散防止手段を設けて回収することが好ましい。回収の方法は特に限定されないが、シティークリーナー（移動式大型掃除機）、高圧吸引車等で用いられる吸引装置を用いて、放射性物質の含有した汚泥ごと回収することが好ましい。
また、除染対象の構造物の形状によっては、洗浄廃水、リンス廃水を、ガイド板等を用いて側溝に流入するように処置し、側溝の下流側で回収するようにしてもよい。
回収部１２は、レシーバタンクに回収された廃水を次工程に移送するポンプ等の移送手段を有し、当該移送手段は内容物の圧送が可能であることが好ましい。
【００３３】
凝集沈殿部１３は、回収した洗浄廃水、リンス廃水中に凝集剤を加え、放射性物質を、凝集沈殿させる。用いる凝集剤としては、例えば、硫酸アルミニウム、ポリ塩化アルミニウムなどの無機系凝集剤、活性ケイ酸、ポリシリカ鉄などの無機系高分子凝集剤、アルギン酸ソーダ、キチン・キトサン系、海藻等生物由来のバイオ系などの天然有機高分子凝集剤、カチオン系、アニオン系、ノニオン系の合成有機高分子凝集剤が挙げられ、これらを単独もしくは混合して用いることができる。
【００３４】  凝集剤として、放射性物質の吸着性の高い凝集剤、例えば（公序良俗違反につき、不掲載）などを使用することにより、放射性物質の回収効率を高めることができる。  本願考案において、洗浄水中に放射性物質と吸着性の高いフルボ酸を含有させた場合は、放射性物質による汚染の洗浄効果を高める事ができるばかりでなく、溶解した放射性物質もフルボ酸に吸着して、凝集時に放射性物質含有粉塵と共に凝集させることができるので、放射性物質の回収効率を高めることができる。
【００３５】
凝集沈殿部１３は、凝集沈殿槽と次工程の分離部１４への移送手段を有し、凝集沈殿槽は、凝集剤添加手段及び攪拌手段を備える。
【００３６】
固液分離部１４は、固液分離手段を有し、固液分離手段としては、重力沈降処理、凝集沈殿処理、加圧浮上処理、遠心分離処理、膜処理などが使用できるが、加圧濾過処理もしくは連続遠心脱水処理が、処理速度、分離固形分の処理の点から好ましい。
固液分離部１４から生成する放射性物質を含むスラッジは、別途放射性物質の処理のため、保管容器１６に保管される。
【００３７】
放射性物質の保管容器１６としては、容器壁が多重構造となっている放射性廃棄物の保管容器が好ましく、内槽と外槽の二槽構造からなり、外槽を鉛製とし、二重構造の間隙に水等の放射線吸収材を充填できるようにしたものであればさらに好ましい。
【００３８】
固形分が除去された洗浄廃水、リンス廃水は、水中に溶存する放射性物質を除去するため、カラム等に充填された吸着部１５を通すことが好ましい。
吸着部１５は、吸着材を充填したカラムを有し、該カラムは、交換可能なカートリッジタイプにすることが好ましい。
【００３９】
放射性物質の吸着材としては、ゼオライト粒、活性炭粒、イオン交換樹脂等の一般的に用いられる吸着剤を使用することができ、表面を放射性物質に対する吸着性の高いフルボ酸等の物質を表面処理した吸着材を用いることが好ましい。
【００４０】
吸着部１５を通過した処理水は、放射性物質が基準以下の濃度まで低減されており、リンス水タンクに戻して再利用されるか、又は排水口１７から一般排水として排水することができる。
【００４１】
図２は、本考案の除染装置を用いた除染手順を説明するための図である。
最初の段階は、フルボ酸と無機酸のカリウム塩もしくはアンモニウム塩と界面活性剤を含むか、又はこれらの化合物を含まない洗浄水を除染対象物に散布もしくは放水洗浄する段階（Ｓ１）である。
【００４２】
本実施形態の洗浄水を除染対象物に散布もしくは放水洗浄する段階においては、洗浄水中に放射性物質による汚染の除去を容易にする成分を含ませた場合は、建造物や家屋の洗浄に際して、高圧での放水を行わず低圧散布で、かつ通常の水洗浄に比べ少量の洗浄水で十分な洗浄効果を発揮する。
【００４３】
洗浄水の散布・放水洗浄段階の後には、フルボ酸、無機酸のカリウム塩もしくはアンモニウム塩及び界面活性剤を含まないリンス水を散布する段階（Ｓ２）を行うことが好ましく、放射性物質を含む洗浄水を洗い流すことにより除染効果を高めることができ、次の段階で洗浄水と共にリンス水も回収することで汚染の拡散も防止できる。
また、除染対象物が舗装道路等の汚染物の固着が強固な場合には、リンス水として温水を用いることが、放射性物質の洗浄効果の点で好ましい。
【００４４】
洗浄水、リンス水の散布・放水洗浄段階に続いて、洗浄廃水、リンス廃水の回収を行う（Ｓ３）。洗浄廃水、リンス廃水の回収段階は、洗浄水散布、リンス水散布の開始とほぼ同時にスタートさせるのが好ましい。これは、放射性物質の他の場所への拡散や洗浄物への再吸着を防止するためである。
【００４５】
また、洗浄廃水、リンス廃水の回収は、洗浄水の散布・放水洗浄及びリンス水の散布・放水後にそれぞれ行ってもよく、洗浄水とリンス水を一括して回収してもよい。
次に、回収した洗浄廃水、リンス廃水中に凝集剤を加え、放射性物質を、凝集沈殿させる（Ｓ４）。
【００４６】
次に、凝集、沈殿させた放射性物質を含む固形分を分離する（Ｓ５）。固液分離の方法は、重力沈降処理、遠心分離処理、膜処理など一般的な方法を用いることができる。
【００４７】
固液分離された固形分（スラッジ）は、放射性物質の保管容器１６に保管する（Ｓ６）。放射性物質の保管容器としては、容器壁が多重構造となっている放射性廃棄物の保管容器１６が好ましく、内槽と外槽の二槽構造からなり、外槽を鉛製とし、二重構造の間隙に水等の放射線吸収材を充填できるようにしたものであればさらに好ましい。
【００４８】
固形分が除去された洗浄廃水、リンス廃水は、水中に溶存する放射性物質を除去するため、カラム等に充填された吸着材を通すことが好ましい（Ｓ７）。
吸着材で処理した洗浄廃水は、放射性物質をほとんど含まない清浄水となっており、一般排水として放流することも、洗浄水、リンス水として再使用することも可能である。
【００４９】
図３は本考案の除洗装置を用いた除染の別の手順を示す図である。この除染においては、洗浄水として、フルボ酸、無機酸のカリウム塩もしくはアンモニウム塩及び界面活性剤を含まない洗浄水を用いるものであり、Ｓ１１ではこの洗浄水を除染対象物に対して散布や放水して除染対象物に付着している放射性物質を除去する。図３の洗浄においては、洗浄水がフルボ酸等の化合物を含まないため、洗浄の後におけるリンス水の散布が不要となる。
【００５０】
Ｓ１２では除染対象物に散布、放水した洗浄水を回収する。洗浄水の回収は洗浄水の散布と略同時にスタートさせることが好ましい。Ｓ１３では回収した洗浄排水に凝集剤を加えて放射性物を凝集沈殿させる。Ｓ１４では凝集、沈殿させた放射性物質を含む固形分を分離する。Ｓ１５では固形分離した固形分を保管容器１６へ保管する。保管容器１６としては、内槽及び外槽からなる２槽構造のものを用い、外槽を鉛製としたものが良好である。Ｓ１６では固形分が除去された洗浄廃水を、吸着剤を充填したカラム等を通過させることにより洗浄廃水中の溶存放射性物質を吸着して除去する。吸着剤を通過した後の洗浄廃水は、放射性物質を殆ど含まないものとなり、放射性汚染構造物への洗浄に再使用することができる。
【実施例】
【００５１】
以下に、本考案法により、放射性物質で汚染されたアスファルト面及び排水溝に対する除染の実施例を示す。
【００５２】
＜アスファルト面の除染＞
フルボ酸０．５重量％、炭酸カリウム０．０５重量％、界面活性剤としてアルキル硫酸ナトリウム０．１重量％含有する洗浄水を調製し、薬剤ポンプで１ｌ／ｍ２の割合で散布し、シティークリーナー（移動式大型掃除機）でブラッシングしながら洗浄水を吸引した。シティークリーナーの後方から、吐出量１０ｌ／分で温水（５０℃）のリンス水を散布し、ＦＲＶ（ガラス繊維強化塩ビ板）アッタチメントを装着した高圧吸引車でリンス水を吸引した。回収した洗浄水とリンス水をタンクに移送し、凝集剤としてポリ塩化アルミニウム（ＰＡＣ）を０．１ｇ／リットル添加して凝集沈降させた。凝集沈殿物を小型遠心分離機で固液分離し、放射性物質を含むスラッジは二重壁構造の保管容器１６に保管し、固液分離後の廃水は、ゼオライトを充填した吸着カラムを通した後、リンス水タンクに戻した。この洗浄によるアスファルト面の放射線量低減率は、９０〜９５％であった。
【００５３】
＜排水溝の除染＞
アスファルト面の除染に用いたと同様の洗浄水を、アチューマット高圧下水管洗浄車（水の吐出量：２３４．７ｌ／分）の高圧ゴムホースに特殊ノズルを装着して放水し、ノズルからの洗浄水の噴射により排水溝の泥等を攪拌及び川下へ移送し、川下に流れてきた泥等を高圧吸引車で吸引した。高圧吸引車で回収した洗浄水にアスファルト面の除染に用いた凝集剤をリットル当たり同量添加して凝集沈殿させた。凝集沈殿物を小型濁水処理設備で固液分離し、放射性物質を含むスラッジは二重壁構造の保管容器１６に保管し、固液分離後の廃水は、ゼオライトを充填した吸着カラムを通した後一般廃液として放流した。排水溝の放射線量低減率は、９０％であった。
【符号の説明】
【００５４】
１０          除染装置
１１          放水部
１１Ａ        放水ノズル
１２          回収部
１２Ａ        回収ノズル
１３          凝集沈殿部
１４          固液分離部
１５          吸着部
１６          保管容器
【図１】
0003187159.tif 000003
【図２】
0003187159.tif 000004
【図３】
0003187159.tif 000005
【手続補正書】
【提出日】平成25年9月11日(2013.9.11)
【手続補正１】
【補正対象書類名】明細書
【補正対象項目名】００３４
【補正方法】変更
【補正の内容】
【００３４】
凝集剤として、放射性物質の吸着性の高い凝集剤を使用することにより、放射性物質の回収効率を高めることができる。
本願考案において、洗浄水中に放射性物質と吸着性の高いフルボ酸を含有させた場合は、放射性物質による汚染の洗浄効果を高める事ができるばかりでなく、溶解した放射性物質もフルボ酸に吸着して、凝集時に放射性物質含有粉塵と共に凝集させることができるので、放射性物質の回収効率を高めることができる。